(57)【特許請求の範囲】
【請求項１】
基板を保持するための基板保持部材と、
この基板保持部材の上面に液膜を形成するための液膜形成手段とを備え、
上記基板保持部材は、その上面に形成された上記液膜を介して基板を保持するものであり、
上記基板保持部材の上面は、水平面に対して傾斜している傾斜面であり、
上記液膜形成手段は、上記基板保持部材の上面に開口するように、上記傾斜面の頂上部付近に形成された吐出孔と、この吐出孔に対して、液膜を形成するための液体を供給する液体供給手段とを有するものである
ことを特徴とする基板保持装置。
【請求項２】
上記傾斜面には、上記吐出孔から吐出される液体を上記傾斜面の下流側に案内するための案内溝が形成されており、この案内溝の溝底部において上記吐出孔が開口していることを特徴とする請求項１記載の基板保持装置。
【請求項３】
基板を保持するための基板保持部材と、
この基板保持部材の上面に液膜を形成するための液膜形成手段とを備え、
上記液膜形成手段は、上記基板保持部材の上面に開口するように形成された吐出孔と、この吐出孔に対して、液膜を形成するための液体を供給する液体供給手段とを有するものであり、
上記基板保持部材は、その上面に形成された上記液膜を介して基板を保持するものであり、
上記基板保持部材の上面は、水平面に対して傾斜している傾斜面であり、
上記傾斜面には、上記吐出孔から吐出される液体を上記傾斜面の下流側に案内するための案内溝が形成されており、
この案内溝の溝底部において上記吐出孔が開口している
ことを特徴とする基板保持装置。
【請求項４】
上記基板保持部材の上面に形成された液膜を介して保持される基板を位置決めするためのガイド手段をさらに備えたことを特徴とする請求項１ないし３のいずれかに記載の基板保持装置。
【請求項５】
上記ガイド手段は、基板の端面に当接して基板を位置決めするものであることを特徴とする請求項４記載の基板保持装置。
【請求項６】
上記ガイド手段は、上記傾斜面上に形成された液膜を介して傾斜した状態で保持された基板の下側の端面に当接するものであることを特徴とする請求項５記載の基板保持装置。
【請求項７】
上記傾斜面の水平面に対する傾斜角は、３０度以下であることを特徴とする請求項１ないし６のいずれかに記載の基板保持装置。
【請求項８】
上記液膜を形成する液体は、純水であることを特徴とする請求項１ないし７のいずれかに記載の基板保持装置。
【請求項９】
上記液体供給手段は、少なくとも上記基板保持部材が基板を保持している期間において、液体を連続的に供給するものであることを特徴とする請求項１ないし８のいずれかに記載の基板保持装置。
【請求項１０】
基板に対して処理を施すための処理部と、
この処理部に対して授受すべき基板を一時的に保持するための上記請求項１ないし９のいずれかに記載の基板保持装置と、
を備えたことを特徴とする基板処理装置。
【請求項１１】
上記基板保持装置と上記処理部との間で基板の授受を行うために、上記基板保持装置を上記処理部に向けて移動させるための移動手段をさらに備えたことを特徴とする請求項１０記載の基板処理装置。
【請求項１２】
上記処理部は、基板に対して薬液を供給して処理を施す薬液処理部を含むものであることを特徴とする請求項１０または請求項１１記載の基板処理装置。
【請求項１３】
上記処理部は、基板に対して化学的かつ物理的に研磨処理が施された後の基板に対して洗浄処理を施す洗浄処理部を含むものであることを特徴とする請求項１０ないし１２のいずれかに記載の基板処理装置。
【発明の詳細な説明】
【０００１】
【発明の属する技術分野】
本発明は、半導体ウエハ、液晶表示装置用ガラス基板およびＰＤＰ（プラズマディスプレイパネル）用ガラス基板などの各種の被処理基板を保持するための基板保持装置、および基板保持装置を利用して構成される基板処理装置に関する。
【０００２】
【従来の技術】
従来から、半導体ウエハ（以下単に「ウエハ」という。）を薬液や純水を用いて洗浄したり、ウエハの表面に薄膜パターンを形成したりするためのウエハ処理装置が知られている。
図１６は、ウエハ処理装置の一部の内部構成を示す平面図である。このウエハ処理装置は、薬液を用いてウエハＷに洗浄処理を施すための薬液処理ユニット１５０と、薬液処理後のウエハＷを純水で洗浄し、洗浄後のウエハＷを高速回転させて乾燥させる水洗／乾燥処理ユニット１５１と、薬液処理後のウエハＷを薬液処理ユニット１５０から搬出して水洗／乾燥処理ユニット１５１に搬入する搬送ロボット１５２とを有している。
【０００３】
搬送ロボット１５２は、下アーム１５３と、下アーム１５３の一端を中心に回動する上アーム１５４とを有するスカラー式ロボットである。すなわち、下アーム１５３が上アーム１５４の先端付近に位置している回動軸線まわりに回動されることによって、下アーム１５３と上アーム１５４とが展開されたり（二点鎖線で示す状態）、収縮したりして（実線で示す状態）、薬液処理ユニット１５０または水洗／乾燥処理ユニット１５１に向かって伸縮するようになっている。
【０００４】
図１７は、下アーム１５３および上アーム１５４が展開された状態の搬送ロボット１５２の上アーム１５４付近の構成を示す断面図である。上アーム１５４の先端には、ウエハＷの下面を吸着してウエハＷを保持するウエハ保持部１５５が設けられている。ウエハ保持部１５５には、このウエハ保持部１５５の上面に開口する吸着孔１５６が形成されている。吸着孔１５６は、負圧源１５７につながる吸気経路１５８に連通されている。したがって、負圧源１５７によって吸気経路１５８内を負圧にすることにより、ウエハＷの下面をウエハ保持部１５５に吸着させることができる。
【０００５】
【発明が解決しようとする課題】
上述の搬送ロボット１５２では、ウエハＷの下面とウエハ保持部１５５とが接触した状態でウエハＷが保持される。そのため、ウエハＷの下面が傷つくおそれがあるうえ、ウエハ保持部１５５に付着していたパーティクルがウエハＷの下面に転移するので、ウエハＷの下面の汚染が避けられないという問題があった。
【０００６】
また、吸気経路１５８内が負圧にされるので、薬液処理ユニット１５０内の薬液雰囲気が吸着経路１５８内に吸い込まれ、搬送ロボット１５２の金属部分が腐食されるおそれがあり、搬送ロボット１５２の寿命が短いという問題もあった。そこで、本発明の第１の目的は、上述の技術的課題を解決し、基板を保持する際の基板の汚染を防止でき、かつ装置の長寿命化を図ることができる基板保持装置を提供することである。
【０００７】
また、本発明の第２の目的は、上述のような基板保持装置を用いることにより、基板を良好に処理できる基板処理装置を提供することである。
【０００８】
【課題を解決するための手段および発明の効果】
上記目的を達成するためのこの発明の基板保持装置は、請求項１に記載のように、基板を保持するための基板保持部材と、この基板保持部材の上面に液膜を形成するための液膜形成手段とを備え、上記基板保持部材は、その上面に形成された上記液膜を介して基板を保持するものであり、上記基板保持部材の上面は、水平面に対して傾斜している傾斜面であり、上記液膜形成手段は、上記基板保持部材の上面に開口するように、上記傾斜面の頂上部付近に形成された吐出孔と、この吐出孔に対して、液膜を形成するための液体を供給する液体供給手段とを有するものであることを特徴とする。
【０００９】
本発明によれば、基板は基板保持部材の上面に形成された液膜を介して保持される。すなわち、基板が保持される場合に、基板の下面が基板保持部材の上面に直接接触することはない。したがって、基板の下面が傷つけられたり、基板の下面に基板保持部材からパーティクルが転移したりすることを防止できる。そのため、基板汚染を防止できるから、高品質な基板を提供できる。
【００１０】
また、基板の下面を吸着するための吸着経路は不要であるから、薬液雰囲気中に当該基板保持装置がさらされても、基板保持装置の内部の腐食を防止できる。そのため、基板保持装置の長寿命化に寄与できる。
また、上記基板保持部材の上面は、水平面に対して傾斜している傾斜面であるので、液膜を形成する液体が傾斜面に沿って流れ、液流を形成するから、たとえば基板の下面から洗い落とされたパーティクルが液膜内に滞留することはない。したがって、いったん除去されたパーティクルが基板の下面に再付着することを防止できる。
さらに、傾斜面の頂上部付近から液体が吐出されるから、液膜を効率的に形成することができる。
【００１１】
本発明によれば、基板保持部材の上面に開口した吐出孔から液体が吐出されるから、液膜を良好に形成することができる。
請求項２記載の発明は、上記傾斜面には、上記吐出孔から吐出される液体を上記傾斜面の下流側に案内するための案内溝が形成されており、この案内溝の溝底部において上記吐出孔が開口していることを特徴とする請求項１記載の基板保持装置である。
また、請求項３記載の発明は、基板を保持するための基板保持部材と、この基板保持部材の上面に液膜を形成するための液膜形成手段とを備え、上記液膜形成手段は、上記基板保持部材の上面に開口するように形成された吐出孔と、この吐出孔に対して、液膜を形成するための液体を供給する液体供給手段とを有するものであり、上記基板保持部材は、その上面に形成された上記液膜を介して基板を保持するものであり、上記基板保持部材の上面は、水平面に対して傾斜している傾斜面であり、上記傾斜面には、上記吐出孔から吐出される液体を上記傾斜面の下流側に案内するための案内溝が形成されており、この案内溝の溝底部において上記吐出孔が開口していることを特徴とする基板保持装置である。
これらの発明によれば、液体は案内溝によって傾斜面の下方側に案内されるから、傾斜面全体を覆う液膜を効率的に形成することができる。
【００１３】
請求項４記載の発明は、上記基板保持部材の上面に形成された液膜を介して保持される基板を位置決めするためのガイド手段をさらに備えたことを特徴とする請求項１ないし３のいずれかに記載の基板保持装置である。
本発明によれば、液膜を介して基板保持部材に保持される基板が位置決めされるから、液膜に浮いている状態の基板の位置ずれを防止できる。そのため、基板を安定に保持できる。
【００１４】
請求項５記載の発明は、上記ガイド手段は、基板の端面に当接して基板を位置決めするものであることを特徴とする請求項４記載の基板保持装置である。
本発明によれば、基板の上面（処理面）および下面とガイド手段とは接触しないから、基板の上下面とガイド手段とが擦れることによるパーティクルの発生を防止できる。
【００１６】
なお、請求項６に記載されているように、傾斜面に形成された液膜を介して傾斜した状態で保持された基板の下側の端面に当接するように、ガイド手段を設けることが好ましい。これにより、ガイド手段を駆動機構によって駆動しなくても基板を位置決めできるから、駆動機構におけるパーティクルの発生を考慮する必要はなく、また、基板保持装置の構成が簡単になる。そのうえ、液膜を形成する純水はガイド手段に向かって流れるから、基板の端面とガイド手段とが擦れてパーティクルが発生しても、そのパーティクルを除去することができる。
【００１８】
請求項７記載の発明は、上記傾斜面の水平面に対する傾斜角は、３０度以下であることを特徴とする請求項１ないし６のいずれかに記載の基板保持装置である。
本発明によれば、傾斜面は最大でも３０度しか水平面に対して傾斜しないから、液膜を良好に形成することができる。また、基板をたとえば搬送ロボットなどとの間で授受する場合においても、基板の授受を安定して行うことができる。
【００１９】
なお、上記傾斜角は、５度程度とすることが好ましい。
【００２３】
上記液膜を形成するための液体は、純水であってもよい（請求項８）。このようにすれば、保持前の基板の下面にパーティクルが付着していても、そのパーティクルを純水によって洗い流すことができるから、基板を清浄な状態にすることができる。
上記液体供給手段は、少なくとも上記基板保持部材が基板を保持している期間において、液体を連続的に供給するものであることが好ましい（請求項９）。この構成によれば、液膜を形成する液体が流動するから、保持前の基板の下面に付着しているパーティクルを一層確実に除去できる。
請求項１０記載の発明は、基板に対して処理を施すための処理部と、この処理部に対して授受すべき基板を一時的に保持するための上記請求項１ないし９のいずれかに記載の基板保持装置と、を備えたことを特徴とする基板処理装置である。
【００２４】
本発明によれば、液膜を介して保持された基板に対して処理を施すことができるから、高品質な基板を提供できる。
請求項１１記載の発明は、上記基板保持装置と上記処理部との間で基板の授受を行うために、上記基板保持装置を上記処理部に向けて移動させるための移動手段をさらに備えたことを特徴とする請求項１０記載の基板処理装置である。
【００２５】
本発明によれば、基板を液膜を介して保持した状態で、処理部に基板を搬入したり、処理部から基板を搬出したりすることができるから、処理前の基板を汚染したり、処理済みの基板を汚染したりすることがない。
請求項１２記載の発明は、上記処理部は、基板に対して薬液を供給して処理を施す薬液処理部を含むものであることを特徴とする請求項１０または請求項１１記載の基板処理装置である。
【００２６】
本発明によれば、基板保持部材が薬液雰囲気にさらされて基板保持部材に薬液が付着しても、基板保持部材の上面に形成される液膜によって当該薬液が洗い流されるから、基板保持部材を常時清浄な状態に保つことができる。したがって、基板保持部材による基板汚染を防止できる。
請求項１３記載の発明は、上記処理部は、基板に対して化学的かつ物理的に研磨処理が施された後の基板に対して洗浄処理を施す洗浄処理部を含むものであることを特徴とする請求項１０ないし１２のいずれかに記載の基板処理装置である。
【００２７】
本発明によれば、基板は基板保持部材に直接接触せずに保持されるから、研磨処理が施された後の基板に付着している研磨剤等のスラリーが基板保持部材に転移することがない。したがって、基板保持部材を常時清浄な状態に保つことができるから、基板汚染を防止できる。また、基板の下面を常に濡らした状態にしておくことができるから、基板の下面に付着したスラリーが乾燥して固着することを防止できる。したがって、特に、スラリーの固着による基板汚染を防止できる。
【００２８】
【発明の実施の形態】
以下では、本発明の実施の形態を、添付図面を参照して詳細に説明する。
図１は、本発明の基板処理装置の第１実施形態としてのウエハ処理装置の一部の内部構成を示す平面図である。このウエハ処理装置は、ウエハＷの表面に形成された薄膜を物理的または化学的に研磨するＣＭＰ（Ｃｈｅｍｉｃａｌ  Ｍｅｃｈａｎｉｃａｌ  Ｐｏｌｉｓｈｉｎｇ）  処理が行われた後にウエハＷの表面に残っているスラリーを除去するためのもので、薬液を用いてウエハＷの両面のスラリーを除去する薬液処理を行う両面洗浄ユニットＤＢＣと、両面洗浄ユニットＤＢＣでの処理後のウエハＷの上面に対して薬液を用いた上面洗浄処理などを施すための上面洗浄ユニットＴＢＣとを備えている。
【００２９】
このウエハ処理装置は、さらに、未処理のウエハＷを両面洗浄ユニットＤＢＣに搬入するための第１搬送ユニットＳＴＣ１、両面洗浄ユニットＤＢＣにおいて処理された後のウエハＷを上面洗浄ユニットＴＢＣに搬入するための第２搬送ユニットＳＴＣ２、および上面洗浄ユニットＴＢＣにおいて処理された後のウエハＷを搬出するための第３搬送ユニットＳＴＣ３を備えている。
【００３０】
第１、第２および第３搬送ユニットＳＴＣ１，ＳＴＣ２，ＳＴＣ３には、それぞれ、副搬送ロボットＳＴＲ１，ＳＴＲ２，ＳＴＲ３と、副搬送ロボットＳＴＲ１，ＳＴＲ２，ＳＴＲ３を駆動するための駆動機構１，２，３とが備えられている。副搬送ロボットＳＴＲ１，ＳＴＲ２，ＳＴＲ３は、下アーム１１と、下アーム１１の一端を中心に回動する基板保持部材としての上アーム１２とを有するスカラー式ロボットである。駆動機構１，２，３は、モータを有し、モータで発生された駆動力を利用して下アーム１１を上アーム１２の先端付近に位置している回動軸線まわりに水平に回動させ、さらに、下アーム１１の回動をギア機構を介して上アーム１２に伝達し、上アーム１２を下アーム１１の一端付近に位置している回動軸線まわりに水平に回動させる。これにより、副搬送ロボットＳＴＲ１，ＳＴＲ２，ＳＴＲ３は、下アーム１１と上アーム１２とを展開させたり（二点鎖線で示す状態）、収縮させたり（実線で示す状態）することができるようになっている。このように、この実施形態においては、駆動機構１，２，３および下アーム１１などが移動手段に相当している。
【００３１】
また、第１搬送ユニットＳＴＣ１の両面洗浄ユニットＤＢＣとは反対側には、図示しない水中ローダが隣接している。この水中ローダは、処理前のウエハＷが収容されたカセットを純水が貯留された水槽内に浸漬させた状態で、載置するものである。さらに、第３搬送ユニットＳＴＣ３の上面洗浄ユニットＴＢＣとは反対側には、図示しない水洗／乾燥処理ユニットが隣接している。この水洗／乾燥処理ユニットは、上面洗浄ユニットＴＢＣで用いられた薬液を純水によってウエハＷ上から洗い流した後、ウエハＷを高速回転させることによってウエハＷを乾燥させるものである。
【００３２】
未処理のウエハＷは、副搬送ロボットＳＴＲ１が下アーム１１および上アーム１２を隣接する水中ローダに向けて展開させ、上昇させ、収縮させることによって、図外の水中ローダ内のカセットから第１搬送ユニットＳＴＣ１に矢印５の向きに搬入される。その後、副搬送ロボットＳＴＲ１は、下アーム１１および上アーム１２を両面洗浄ユニットＤＢＣに向けて展開させ、下降させて、上アーム１２に保持されているウエハＷを両面洗浄ユニットＤＢＣに搬入する。
【００３３】
両面洗浄ユニットＤＢＣによって処理された後のウエハＷは、副搬送ロボットＳＴＲ２によって取り出され、上面洗浄ユニットＴＢＣに搬入される。すなわち、副搬送ロボットＳＴＲ２は、両面洗浄ユニットＤＢＣに向けて下アーム１１および上アーム１２を展開させ、上昇させて、ウエハＷを受け取り、その後上下のアーム１１，１２を収縮させ、さらに、上面洗浄ユニットＴＢＣに向けて上下のアーム１１，１２を展開させ下降させて上面洗浄ユニットＴＢＣにウエハＷを搬入する。
【００３４】
上面洗浄ユニットＴＢＣによる上面処理を経たウエハＷは、副搬送ロボットＳＴＲ３によって取り出され、図外の水洗／乾燥処理ユニットに搬入される。すなわち、副搬送ロボットＳＴＲ３は、上面洗浄ユニットＴＢＣに向けて下アーム１１および上アーム１２を展開させ、上昇させてウエハＷを受け取り、その後上下のアーム１１，１２を収縮させる。そして、この状態の副搬送ロボットＳＴＲ３が、図外の水洗／乾燥処理ユニットに向けて下アーム１１および上アーム１２を展開させ、下降させることによって、この水洗／乾燥処理ユニットに対して、ウエハＷを矢印６の向きに搬入する。なお、この水洗／乾燥処理ユニットで処理が施され乾燥されたウエハＷは、図外のアンロードロボットによって搬出され、図外のアンロード用カセットに収容される。
【００３５】
図２は、下アーム１１および上アーム１２が展開された状態の副搬送ロボットＳＴＲ１，ＳＴＲ２，ＳＴＲ３の上アーム１２付近の共通の構成を示す平面図であり、図３は、図２のＩＩＩ−ＩＩＩ  断面図である。下アーム１１の一端には、回動可能な回動軸２０が設けられており、この回動軸２０の上端部にボルト２１によって上アーム１２が取り付けられている。
【００３６】
上アーム１２は、平板なビーム状のもので、回転軸２０の上端に水平に取り付けられた基部１２Ａと、基部１２Ａの先端から斜め上方に屈曲した保持部１２Ｂとを有している。すなわち、保持部１２Ｂは、水平面に対して所定の傾斜角θだけ上方に傾斜している。この傾斜角θは、この第１実施形態では、ほぼ５度に設定されている。
【００３７】
保持部１２Ｂの上面には、保持部１２Ｂの長手方向に沿って、案内溝３０が形成されている。保持部１２Ｂの頂上部付近には、保持部１２Ｂの長手方向に対して直交する方向（以下「幅方向」という。）に沿って３つの純水吐出孔３１が、案内溝３０の溝底部に開口するように形成されている。純水吐出孔３１からは純水が吐出されるようになっており、吐出された純水は、案内溝３０内を保持部１２Ｂの下端に向かって流れるとともに、案内溝３０から保持部１２Ｂの上面１２ｂ上に溢れ出て、保持部１２Ｂの幅方向に広がりつつ下方に流れ、保持部１２Ｂの側縁部から落下する。これにより、保持部１２Ｂの上面１２ｂに水膜３７が形成されるようになっており、この水膜３７の上にウエハＷが保持される。案内溝３０の働きにより、純水吐出孔３１から吐出された純水を保持部１２Ｂの下端まで案内することができるので、保持部１２Ｂの上面１２ｂには、その上端から下端に至る全域を覆う良好な水膜３７が形成される。
【００３８】
保持部１２Ｂの内部には、純水吐出孔３１に純水を供給するための純水供給路３２が形成されている。この純水供給路３２は、純水吐出孔３１と連通しており、この純水吐出孔３１の形成位置から保持部１２Ｂの長手方向に沿って基部１２Ａまで延びており、その基端は、基部１２Ａの上面に開口するように形成された純水供給孔３３に連通されている。純水供給孔３３には、純水を圧送して供給する図外の純水供給源に一端が接続された純水供給パイプ３４の他端が継ぎ手３５を介して接続されている。純水供給パイプ３４の途中部には純水供給弁３６が介装されており、純水供給弁３６の開閉を制御することにより純水の供給開始および供給停止を制御できるようになっている。
【００３９】
保持部１２Ｂの下端付近には、水膜３７上に傾斜した状態で保持されたウエハＷの下方側端面に当接してウエハＷを位置決めするためのガイド手段としてのガイド部材２２が取り付けられている。すなわち、保持部１２Ｂの上面１２ｂから水膜３７の厚みだけ浮いた状態で保持されているウエハＷをガイド部材２２によって位置決めすることにより、ウエハＷを安定に保持できる。
【００４０】
ガイド部材２２は、保持部１２Ｂを上下から挟み込んでボルト２４により互いに固定された本体部２２Ｂおよびベース部２２Ａを有している。本体部２２Ｂの上面側には、ウエハＷの端面形状に応じて湾曲した段差部２３が形成されている。この段差部２３は、保持部１２Ｂの上端側に対向しており、上アーム１２にウエハＷを傾斜した状態で保持する際にウエハＷの下方側端面に当接する。すなわち、ガイド部材２２は、ウエハＷの端面に当接し、ウエハＷの上下面を傷つけることなく、ウエハＷを位置決めする。
【００４１】
上アーム１２によりウエハＷが保持される際には、純水供給弁３６が開成された状態に保持される。その結果、純水供給源からの純水は、純水供給パイプ３４および純水供給孔３３を介して純水供給路３２に導かれ、純水吐出孔３１から案内溝３０内に連続的に吐出される。これにより、保持部１２Ｂの上面１２ｂに水膜３７が形成された状態を維持できる。
【００４２】
ウエハＷは、上述のようにして形成された水膜３７の水面にその下面が接した状態で上アーム１２に保持される。つまり、ウエハＷは、保持部１２Ｂの上面１２ｂに直接接触するのではなく、水膜３７を介して保持されることになる。
純水吐出孔３１からの純水の吐出は、ウエハＷを保持する期間にわたって連続的に行われる。つまり、純水供給弁３６は、ウエハＷを保持する期間にわたって開成状態に保持される。したがって、ウエハＷを保持している間は、ウエハＷと保持部１２Ｂの上面１２ｂとの間には常時水膜３７が存在する。
【００４３】
なお、ウエハＷは水膜３７に浮いた状態で上アーム１２に保持されるから、従来装置のようにウエハＷの下面を吸着して保持する場合に比べて保持状態がいくぶん不安定になるかもしれない。そのような場合には、少なくともウエハＷを保持している期間における上下のアーム１１，１２の展開の加速度／収縮の加速度を、ウエハＷが上アーム１２から振り落とされないように設定しておけばよい。
【００４４】
図４は、両面洗浄ユニットＤＢＣの構成を拡大して示す平面図である。図５は、図４の矢印Ｘ方向から見た側面図であり、両面洗浄ユニットＤＢＣの内部構成を示している。両面洗浄ユニットＤＢＣは、副搬送ロボットＳＴＲ１によって搬入されたウエハＷを受け取って水平に保持し、かつ水平面内で回転させるための複数本（この実施形態では６本）の保持ローラ４０ａ，４０ｂ，４０ｃ；４１ａ，４１ｂ，４１ｃを有しており、これらはすべて図外の駆動源から駆動力が与えられる駆動ローラとなっている。また、両面洗浄ユニットＤＢＣは、ウエハＷの上下面をそれぞれスクラブ洗浄するための上ディスクブラシ４２Ｕおよび下ディスクブラシ４２Ｌを有しており、これらは、保持ローラ４０ａ，４０ｂ，４０ｃ；４１ａ，４１ｂ，４１ｃによって水平に保持されたウエハＷを上下から挟むように配置されている。
【００４５】
６本の保持ローラのうち３本の保持ローラ４０ａ，４０ｂ，４０ｃの組と、残る３本の保持ローラ４１ａ，４１ｂ，４１ｃの組とは、ウエハＷを挟んでほぼ対向し、かつウエハＷの端面に当接するように、ベース４０，４１にそれぞれ立設されている。この一対のベース４０，４１は、互いに近接したり離反したりすることができるようになっている。これにより、ウエハＷを保持した状態と、ウエハＷの保持を解放した状態とをとることができる。
【００４６】
上ディスクブラシ４２Ｕおよび下ディスクブラシ４２Ｌは、ウエハＷの中心から周縁までの領域をスクラブできるように円板状に形成されている。上ディスクブラシ４２Ｕは、鉛直方向に沿って配設された回転軸４３Ｕの下端に固定されており、上ブラシ回転駆動部４４Ｕから回転駆動力が与えられることにより、鉛直軸まわりに回転駆動されるようになっている。同様に、下ディスクブラシ４２Ｌは、鉛直方向に沿って配設された回転軸４３Ｌの上端に固定されており、下ブラシ回転駆動部４４Ｌから回転駆動力が与えられることにより、鉛直軸まわりに回転駆動されるようになっている。さらに、上ディスクブラシ４２Ｕおよび下ディスクブラシ４２Ｌが、ウエハＷの上面および下面に対して近接／離反することができるように、上ディスクブラシ４２Ｕおよび下ディスクブラシ４２Ｌを昇降するための上ブラシ昇降駆動部４５Ｕおよび下ブラシ昇降駆動部４５Ｌがそれぞれ備えられている。
【００４７】
回転軸４３Ｕ，４３Ｌは、いずれも中空の軸で構成されており、その内部には、ディスクブラシ４２Ｕ，４２Ｌの表面の近傍にまで至る洗浄液供給管４６Ｕ，４６Ｌが挿通している。この洗浄液供給管４６Ｕ，４６Ｌには、それぞれ、図外の洗浄液供給源から薬液や純水などの洗浄液が供給されるようになっており、この洗浄液が洗浄液供給管４６Ｕ，４６Ｌの先端のノズル４７Ｕ，４７Ｌから吐出されるようになっている。
【００４８】
また、この両面洗浄ユニットＤＢＣには、副搬送ロボットＳＴＲ１，ＳＴＲ２と保持ローラ４０ａ，４０ｂ，４０ｃ；４１ａ，４１ｂ，４１ｃとの間のウエハＷの受け渡しの際に、ウエハＷを一時的に保持するための複数本（この実施形態では４本）の受け渡し用ピン４８ｐが設けられている。４本の受け渡し用ピン４８ｐは、平面視においてほぼ正方形の各頂点に対応する位置に、それぞれ設けられている。
【００４９】
受け渡し用ピン４８ｐには、ピン昇降駆動部４９から駆動力が与えられるようになっている。ピン昇降駆動部４９は、受け渡し用ピン４８ｐを、ウエハ処理時などに待機している待機位置４８Ａと、待機位置４８Ａよりも上方に設定され、ウエハＷを受け渡すための受け渡し位置４８Ｂとの間で上下動させる。受け渡し位置４８Ｂは、保持ローラ４０ａ，４０ｂ，４０ｃ；４１ａ，４１ｂ，４１ｃに保持されるウエハＷの下面に受け渡し用ピン４８ｐの上端が当接する位置に設定されている。
【００５０】
ウエハＷの両面洗浄ユニットＤＢＣへの搬入は、副搬送ロボットＳＴＲ１の下アーム１１および上アーム１２が両面洗浄ユニットＤＢＣに向けて展開されることによって達成される。この場合、上アーム１２に傾斜して保持されているウエハＷは、その最下部が受け渡し位置４８Ｂよりも上方に位置するようにして搬入される。
【００５１】
次いで、待機位置４８Ａに位置している受け渡し用ピン４８ｐが受け渡し位置４８Ｂまで上昇させられる。その後、副搬送ロボットＳＴＲ１の上アーム１２が下降させられる。その過程において、ウエハＷは、上アーム１２の基部１２Ａ側がまず受け渡し用ピン４８ｐに載置され、その後上アーム１２の先端側が受け渡し用ピン４８ｐに載置されることにより、受け渡し用ピン４８ｐに移される。こうして、上アーム１２に傾斜した状態で保持されているウエハＷは、受け渡し用ピン４８ｐに水平に保持される。
【００５２】
その後、副搬送ロボットＳＴＲ１の下アーム１１および上アーム１２が収縮された後、一方の組を構成する３本の保持ローラ４０ａ，４０ｂ，４０ｃと他方の組を構成する３本の保持ローラ４１ａ，４１ｂ，４１ｃとが互いに近接する方向に移動させられる。その結果、ウエハＷが保持ローラ４０ａ，４０ｂ，４０ｃ；４１ａ，４１ｂ，４１ｃにその端面が当接した状態で水平に保持される。受け渡し用ピン４８ｐは、ウエハＷが保持ローラ４０ａ，４０ｂ，４０ｃ；４１ａ，４１ｂ，４１ｃに保持された後に下降させられ、待機位置４８Ａに戻される。
【００５３】
次いで、保持ローラ４０ａ，４０ｂ，４０ｃ；４１ａ，４１ｂ，４１ｃの回転によってウエハＷが回転させられるとともに、ノズル４７Ｕ，４７Ｌから洗浄液が吐出される。さらに、上ディスクブラシ４２Ｕおよび下ディスクブラシ４２Ｌが回転駆動され、この状態においてウエハＷの上下面に接触させられる。その結果、上ディスクブラシ４２Ｕおよび下ディスクブラシ４２ＬがウエハＷの上下面をスクラブ洗浄する。
【００５４】
その後、上ディスクブラシ４２Ｕおよび下ディスクブラシ４２Ｌが回転しつつウエハＷから離反され、さらに、ノズル４７Ｕ，４７Ｌからの洗浄液の供給と、上ディスクブラシ４２Ｕおよび下ディスクブラシ４２Ｌの回転とが停止させられる。そして、受け渡し用ピン４８ｐが受け渡し位置４８Ｂまで上昇させられるとともに、一方の組を構成する３本の保持ローラ４０ａ，４０ｂ，４０ｃと他方の組を構成する３本の保持ローラ４１ａ，４１ｂ，４１ｃとが互いに離反する方向に移動させられる。その結果、ウエハＷが受け渡し用ピン４８ｐに移される。
【００５５】
次いで、副搬送ロボットＳＴＲ２の下アーム１１および上アーム１２が両面洗浄ユニットＤＢＣに向けて展開される。この場合、上アーム１２の上端は、ウエハＷの下方に位置する。その後、副搬送ロボットＳＴＲ２の上アーム１２が上昇させられる。その過程において、ウエハＷは、上アーム１２の基部１２Ａ側がまず持ち上げられ、その後上アーム１２の先端側が持ち上げられることにより、上アーム１２に移される。その結果、ウエハＷは、水膜３７を介して上アーム１２に保持される。その後、副搬送ロボットＳＴＲ２の下アーム１１および上アーム１２が伸縮される。こうして、ウエハＷが両面洗浄ユニットＤＢＣから搬出される。
【００５６】
図６は、上面洗浄ユニットＴＢＣの構成を拡大して示す平面図である。図７は、図６の矢印Ｙ方向から見た側面図であり、上面洗浄ユニットＴＢＣの内部構成を示している。上面洗浄ユニットＴＢＣには、ウエハＷを保持して回転させるためのスピンチャック５０が備えられている。スピンチャック５０は、回転駆動部５１によって鉛直な回転軸線Ｏまわりに高速回転させられる回転体５２と、回転体５２の上端部に水平に取り付けられた回転板５３と、回転板５３の周縁部に沿ってほぼ等間隔で立設され、ウエハＷを周縁部にて保持するための６本の保持爪５４とを備えている。回転駆動部５１は、たとえばマイクロコンピュータで構成された制御装置５７によって制御されるようになっている。
【００５７】
回転板５３の回転中心付近には、ウエハＷの下面に薬液や純水などの洗浄液を供給するためのノズル５５が配置されており、さらに、スピンチャック５０の近傍には、スピンチャック５０に保持されたウエハＷの上面に薬液や純水などの洗浄液を供給するためのノズル５６が設けられている。
ウエハＷに対して洗浄処理を施す場合には、保持爪５４によってウエハＷが保持された状態で、制御装置５７によって回転駆動部５１が制御されて回転体５２が回転駆動され、かつ、ノズル５５，５６からウエハＷの上下面に洗浄液が吐出される。
【００５８】
洗浄処理が終了すると、回転駆動部５１が制御装置５７によって制御され、未処理のウエハＷの副搬送ロボットＳＴＲ２による搬入時および処理済みのウエハＷの副搬送ロボットＳＴＲ３による搬出時において、上面洗浄ユニットＴＢＣ内に挿入される副搬送ロボットＳＴＲ２，ＳＴＲ３の上アーム１２と保持爪５４とが干渉しないように、回転体５２の回転位置が規制される。
【００５９】
スピンチャック５０と副搬送ロボットＳＴＲ２，ＳＴＲ３との間でウエハＷの受け渡しを行うために、スピンチャック５０を上下動させるための昇降駆動部５６が設けられている。昇降駆動部５６は、制御装置５７によって制御されるようになっており、スピンチャック５０を、ウエハＷの受け渡しのための受け渡し位置と、この受け渡し位置よりも下方の位置であって、ウエハＷに対して洗浄処理を施すための処理位置との間で上下動させる。
【００６０】
副搬送ロボットＳＴＲ２からスピンチャック５０へのウエハＷの移載は、次のようにして行われる。すなわち、副搬送ロボットＳＴＲ２の下アーム１１および上アーム１２が展開されてウエハＷが上面洗浄ユニットＴＢＣに搬入されると、副搬送ロボットＳＴＲ２の上アーム１２が下降させられる。その過程で、スピンチャック５０の６本の保持爪５４は、上アーム１２の基部１２Ａ側のものから順次ウエハＷの下面の縁部を保持していき、上アーム１２の先端側に位置する保持爪５４が最後にウエハＷの下面縁部を保持する。このとき、上アーム１２は、平面視において保持爪５４の間に位置しており、この上アーム１２と保持爪５４とが干渉することはない。こうして、上アーム１２に傾斜した状態で保持されているウエハＷをスピンチャック５０に移載し、このスピンチャック５０に水平に保持させることができる。
【００６１】
以上のようにこの第１実施形態によれば、ウエハＷは水膜３７を介して保持されるから、ウエハＷの下面が上アーム１２の保持部１２Ｂの上面１２ｂに直接接触することはない。したがって、ウエハＷの下面が傷つけられたり、上アーム１２に付着していたパーティクルがウエハＷの下面に転移したりすることはない。また、純水によって水膜３７を形成し、しかもこの水膜３７を形成する純水を流動させているから、ウエハＷの下面に付着しているパーティクルを除去することができる。さらに、除去されたパーティクルは流動する純水によって速やかに運び去られ、上アーム１２上の水膜３７中に滞留することがない。したがって、パーティクルがウエハＷに再付着することがない。
【００６２】
また、ガイド部材２２の取付位置に向けて純水が流れるから、ウエハＷの端面とガイド部材２２とが擦れてパーティクルが発生しても、当該パーティクルも純水で洗い流すことができる。
さらに、上アーム１２が両面洗浄ユニットＤＢＣおよび上面洗浄ユニットＴＢＣ内の薬液雰囲気にさらされて、保持部１２Ｂに薬液が付着したとしても、このような薬液を純水によって洗い流すことができる。そのため、上アーム１２を清浄な状態に保つことができるから、上アーム１２からウエハＷに薬液が転移するおそれはない。
【００６３】
さらにまた、従来装置のようにウエハを吸着保持するための吸気経路は不要なので、副搬送ロボットＳＴＲ１，ＳＴＲ２，ＳＴＲ３の内部の金属部が薬液雰囲気によって腐食されることを防止できる。これにより、副搬送ロボットＳＴＲ１，ＳＴＲ２，ＳＴＲ３の長寿命化に寄与できる。
なお、上記の説明では、上アーム１２の保持部１２Ｂの水平面に対する傾斜角θをほぼ５度に設定しているが、傾斜角θは、３０度以下の角度であれば、他の任意の角度とされてもよい。すなわち、ウエハＷの傾斜角θが３０度以下であれば、保持部１２Ｂの上面１２ｂに水膜を良好に形成でき、また、両面洗浄ユニットＤＢＣ内の受け渡し用ピン４８ｐや上面洗浄ユニットＴＢＣ内のスピンチャック５０との間でウエハＷを安定して授受できる。
【００６４】
図８は、参考例に係るウエハ処理装置において、下アーム１１および上アーム６０が展開された状態の副搬送ロボットＳＴＲ１０の上アーム６０付近の構成を示す平面図であり、図９は、図８のIX-IX 断面図である。これら図８および図９において、図２および図３と同じ機能部分については同一の参照符号を使用する。
【００６５】
この参考例のウエハ処理装置は、上述の第１実施形態のウエハ処理装置と同様の基本構成を有し、図８および図９の副搬送ロボットＳＴＲ１０は、第１実施形態における副搬送ロボットＳＴＲ１，ＳＴＲ２，ＳＴＲ３に代えて用いられるべきものである。副搬送ロボットＳＴＲ１０の上アーム６０は、保持部６０Ｂが基部６０Ａに対して屈曲することなく、水平に連なった平板ビーム状のものである。
【００６６】
保持部６０Ｂには、保持部６０Ｂの上面に開口するように、保持部６０Ｂの長手方向に沿って複数の純水吐出孔６１が所定間隔ごとに形成されている。純水吐出孔６１は、保持部６０Ｂの長手方向に沿って基部６０Ａから保持部６０Ｂの先端付近まで延びて形成された純水供給路６２に連通されている。この構成により、純水供給路６２に連続的に供給される純水は、複数の純水吐出孔６１から保持部６０Ｂの上面６０ｂに吐出される。この場合、保持部６０Ｂの上面６０ｂに吐出された純水は、上面６０ｂに沿う全方向に向かって流れる。これにより、保持部６０Ｂの上面６０ｂには、各純水吐出孔６１から広がった純水による水膜３７が形成される。
【００６７】
保持部６０Ｂには、さらに、基端部および先端部に一対のガイド部材６３，６４が対向して取り付けられている。ガイド部材６３，６４は、上記第１実施形態におけるガイド部材２２と同様の構成を有しており、各段差部６５，６６が対向するように、かつ保持すべきウエハＷの周縁に対応する位置に各段差部６５，６６が位置するように、保持部６０Ｂの基部６０Ａ近傍の位置および保持部６０Ｂの先端付近にそれぞれ取り付けられている。すなわち、ガイド部材６３，６４は、それぞれ、本体部６３Ｂ，６４Ｂとベース部６３Ａ，６４Ａとが保持部６０Ｂを上下から挟んだ状態でボルト６７，６８によって互いに締め付けられることにより、保持部６０Ｂに取り付けられている。これにより、ウエハＷを互いに対向する方向から位置決めできるので、水平な保持部６０Ｂの上面６０ｂに、液膜３７を介して、ウエハＷを安定に保持できる。
【００６８】
以上のようにこの参考例の構成によっても、ウエハＷを水膜３７を介して保持することができるから、ウエハＷの下面が傷つけられたり汚染されたりすることがない。
また、基部６０Ａと保持部６０Ｂとが水平に連なっているから、たとえば副搬送ロボットＳＴＲ１０からスピンチャック５０（図６および図７参照）にウエハＷを渡す場合、６本の保持爪５４がウエハＷを同時に持ち上げることになる。したがって、副搬送ロボットＳＴＲ１０とスピンチャック５０との間でのウエハＷの受渡しの信頼性を向上することができる。
【００６９】
なお、上アーム６０には、図１０に示すように、保持部６０Ｂの上面６０ｂに、保持部６０Ｂの長手方向に沿って長尺な貯留凹部９０を形成し、複数の純水吐出孔６１を貯留凹部９０の底面に開口させるようにしてもよい。
この構成によれば、純水吐出孔６１から吐出される純水を貯留凹部９０に一時的に貯留し、貯留凹部９０の全方向に純水を均一に溢れさせることができるから、保持部６０Ｂの上面６０ｂの全体を覆う水膜を効率的に形成することができる。
【００７０】
また、貯留凹部９０に純水をいったん貯留するから、純水吐出孔６１の形成位置を厳密に定めなくても、水膜を良好に形成できる。したがって、純水吐出孔６１の穿設作業を簡単にすることができる。
また、図１１に示すように、各純水吐出孔６１に対応するように円形の貯留凹部９１を複数個形成し、各貯留凹部９１の底面に各純水吐出孔６１を開口させるようにしてもよい。この構成によっても、純水吐出孔６１から吐出された純水を貯留凹部９１から全方向に均一に溢れさせることができるから、良好な水膜を効率的に形成することができる。
【００７１】
図１２は、他の参考例としてのウエハ処理装置において、下アーム１１および上アーム７０が展開された状態の副搬送ロボットＳＴＲ２０の上アーム７０付近の構成を示す平面図であり、図１３は、図１２のXIII-XIII 断面図である。これら図１２および図１３において、図２および図３と同じ機能部分については同一の参照符号を使用する。
【００７２】
この参考例のウエハ処理装置は、上述の第１実施形態のウエハ処理装置と同様の基本構成を有し、図１２および図１３の副搬送ロボットＳＴＲ２０は、第１実施形態における副搬送ロボットＳＴＲ１，ＳＴＲ２，ＳＴＲ３に代えて用いられるべきものである。
副搬送ロボットＳＴＲ２０の上アーム７０は、上記図８および図９の参考例に係る上アーム６０と同様に、水平に連なった基部７０Ａおよび保持部７０Ｂを有する平板ビーム状のものである。また、上記図８および図９の参考例に係る上アーム７０に比べて幅広に形成されている。これにより、上記図８および図９の参考例に係る上アーム７０よりもウエハＷの保持状態が安定する。
【００７３】
保持部７０Ｂの中央付近には、保持部７０Ｂの上面７０ｂに開口するように、保持部７０Ｂの長手方向に沿って複数の第１純水吐出孔７１ａが所定間隔ごとに形成されている。さらに、保持部７０Ｂの第１純水吐出孔７１ａを挟んだ両側には、保持部７０Ｂの上面７０ｂに開口するように、それぞれ、保持部７０Ｂの長手方向に沿って複数の第２純水吐出孔７１ｂおよび複数の第３純水吐出孔７１ｃが所定間隔ごとに形成されている。
【００７４】
保持部７０Ｂの内部には、保持部７０Ｂの長手方向に沿って、基部７０Ａから保持部７０Ｂの先端付近まで延びる第１純水供給路７２ａが形成されている。さらに、この第１純水供給路７２ａを挟むように、保持部７０Ｂの長手方向に延びる第２純水供給路７２ｂおよび第３純水供給路７２ｃが形成されており、これらは保持部７０Ｂのほぼ中央において、それぞれ、分岐路７３，７４を介して第１純水供給路７２ａに連通している。各複数の第１純水吐出孔７１ａ、第２純水吐出孔７１ｂおよび第３純水吐出孔７１ｃは、それぞれ、第１、第２および第３純水供給路７２ａ，７２ｂ，７２ｃに連通している。
【００７５】
このように、保持部７０Ｂの上面に、複数の第１、第２および第３純水吐出孔７１ａ，７１ｂ，７１ｃが二次元的に配列されて開口しているから、幅広の上アーム７０であっても、保持部７０Ｂの上面７０ｂ全体に純水を行き渡らせることができる。よって、保持部７０Ｂの上面７０ｂの全域を覆う水膜３７を形成することができる。
【００７６】
保持部７０Ｂの基部７０Ａの近傍位置および保持部７０Ｂの先端付近には、ガイド手段としての各一対の円柱状のガイドピン７５，７６が、それぞれ立設されている。各ガイドピン７５，７６は、保持すべきウエハＷの周縁に対応する位置に配置されている。ウエハＷは、その端面がガイドピン７５，７６に当接した状態で保持される。
【００７７】
以上のようにこの参考例においても、ウエハＷを水膜３７を介して保持することができるから、ウエハＷの下面が傷つけられたり汚染されたりすることがない。しかも、ウエハＷの位置決めをガイドピン７５，７６により行っているので、ウエハＷの上下面は、周縁部においてさえも触れられることがない。そのため、ウエハＷをより清浄な状態に保つことができる。
【００７８】
なお、この参考例に係る上アーム７０において、図１０および図１１に示すような貯留凹部を保持部７０の上面７０ｂに形成することができる。
図１４は、さらに他の参考例としてのウエハ処理装置において、下アーム１１および上アーム８０が展開された状態の副搬送ロボットＳＴＲ３０の上アーム８０付近の構成を示す平面図であり、図１５は、図１４のXV-XV 断面図である。これら図１４および図１５において、図２および図３と同じ機能部分については同一の参照符号を使用する。
【００７９】
この参考例のウエハ処理装置は、上述の第１実施形態のウエハ処理装置と同様の基本構成を有しており、図１４および図１５には、第１実施形態の装置における副搬送ロボットＳＴＲ１，ＳＴＲ２，ＳＴＲ３に代えて用いられるべき副搬送ロボットＳＴＲ３０が表されている。
副搬送ロボットＳＴＲ３０の上アーム８０は、上記図８および図９の参考例や図１２および図１３の参考例に係る上アーム６０，７０と同様に、水平に連なる基部８０Ａおよび保持部８０Ｂを有している。保持部８０Ｂは、基部８０Ａに連続する第１保持部８１ａと、第１保持部８１ａの基部８０Ａとは反対側から水平面内において開脚するように延びて形成された第２保持部８１ｂおよび第３保持部８１ｃとを有している。
【００８０】
第１保持部８１ａには、第１保持部８１ａの上面に開口するように、第１保持部８１ａの長手方向に沿って所定間隔ごとに複数の第１純水吐出孔８２ａが形成されている。第１純水吐出孔８２ａは、第１保持部８１ａの長手方向に沿って基部８０Ａから第１保持部８１ａの先端付近まで延びて第１保持部８１ａの内部に形成された第１純水供給路８３ａに連通されている。
【００８１】
同様に、第２保持部８１ｂおよび第３保持部８１ｃには、第２保持部８１ｂおよび第３保持部８１ｃの上面に開口するように、それぞれ、第２保持部８１ｂおよび第３保持部８１ｃの長手方向に沿って所定間隔ごとに複数の第２純水吐出孔８２ｂおよび第３純水吐出孔８２ｃが形成されている。また、第２保持部８１ｂの内部には、第１純水供給路８３ａに連なり、第２保持部８１ｂの長手方向に沿って第２保持部８１ｂの先端付近まで延びる第２純水供給路８３ｂが形成されている。また、第３保持部８１ｃの内部にも同様に、第１純水供給路８３ａに連なり、第３保持部８１ｃの長手方向に沿って第３保持部８１ｃの先端付近まで延びる第３純水供給路８３ｃが形成されている。これらの第２および第３純水供給路８１ｂ，８１ｃに、第２および第３純水吐出孔８２ｂ，８２ｃがそれぞれ連通している。
【００８２】
この構成により、保持部８０Ｂの上面８０ｂには、第１、第２および第３吐出孔８２ａ，８２ｂ，８２ｃから吐出された純水が全方向に広がることにより、この上面８０ｂ全域を覆う水膜３７が形成される。
第１保持部８１ａの基部８０Ａ近傍の位置、第２保持部８１ｂの先端付近、および第３保持部８１ｃの先端付近には、それぞれ、段差部８５ａ，８５ｂ，８５ｃが形成されている。段差部８５ａ，８５ｂ，８５ｃは、ウエハＷの周縁に対応するように形成されており、ウエハＷが保持される際には、ウエハＷの端面が段差部８５ａ，８５ｂ，８５ｃに当接した状態となる。すなわち、段差部８５ａ，８５ｂ，８５ｃは、水膜３７に浮いた状態のウエハＷを位置決めし、ウエハＷを安定に保持するためのガイド手段として作用する。
【００８３】
なお、段差部８５ａ，８５ｂ，８５ｃの立ち上がり面をテーパ面としておき、このテーパ面の途中部がウエハＷの端面に接するようにしておけば、ウエハＷの上下面は、その周縁部においてさえもいずれの部材とも接触することがなくなる。
以上のようにこの参考例においても、ウエハＷを水膜３７を介して保持することができるから、ウエハＷの下面が傷つけられたり汚染されたりすることがない。
【００８４】
この参考例に係る上アーム８０においても、図１０および図１１に示すような貯留凹部を保持部８０Ｂの上面８０ｂに形成することができる。
以上、本発明の実施形態について説明したが、本発明は上述の実施形態以外の形態を採り得るのはもちろんである。たとえば上記図１２および図１３に示した構成において、ウエハＷの位置ずれを規制するガイド手段としてのガイドピン７５，７６の代わりに、たとえば、上記図１４および図１５に示した構成における上アーム８０に形成されているような段差部を保持部７０Ｂの基部および先端部に形成し、これをガイド手段として用いるようにしてもよい。また、逆に、第１実施形態や図１２および図１３の構成におけるガイド部材２２，６３，６４の代わりに、ガイドピン７５，７６と同様なガイドピンを用いてもよい。
【００８５】
また、たとえば上アームの保持部の他の構成として、基部に連続し、平板ビーム状に形成された第１保持部と、この第１保持部の両側部から水平に延びた一対の第２保持部とを有するものを採用してもよい。この場合、第１保持部の長手方向に沿って所定間隔ごとに複数の第１純水吐出孔を第１保持部の上面に開口するように形成し、各第１純水吐出孔を、第１保持部の長手方向に沿って基部から第１保持部の先端付近まで延びて形成された第１純水供給路に連通させる。また、第２保持部の長手方向に沿って所定間隔ごとに複数の第２純水吐出孔を第２保持部の上面に開口するように形成し、各第２純水吐出孔を、第１純水供給路に連なり、第２保持部の先端付近まで形成された第２純水供給路に連通させる。この場合、第１保持部の基部近傍の位置および第１保持部の先端付近、ならびに第２保持部の先端付近に、ウエハＷの端面形状に応じて、ウエハＷの位置ずれを規制するためのガイド手段としての段差部を形成することが好ましい。このような構成であっても、ウエハＷの下面は上アームの上面に水膜を介して保持されるから、ウエハＷの下面が傷つけられたり汚染されたりすることがない。
【００８７】
さらにまた、上記各実施形態および参考例では、上アームの上面に形成される液膜の液体として純水を用いているが、たとえばアンモニア水を用いてもよい。この構成によれば、純水に比べてウエハＷの下面に付着しているパーティクルを一層良好に除去することができる。
【００８８】
さらに、上記各実施形態では、上アームの上面に開口する純水供給孔に、純水供給パイプを接続することにより、上アームに純水を供給するようにしている。しかし、たとえば従来装置のように、副搬送ロボットの内部に形成された吸気経路と同じ経路を通る純水供給パイプを設け、この純水供給パイプを介して上アームに純水を供給するようにしてもよい。この構成によれば、純水供給パイプを装置内部に収めることができる。
【００８９】
また、上述の各実施形態および参考例においては、ウエハＷを保持している期間中、水膜３７に連続的に純水を供給するようにしているが、水膜３７が上アーム１２とウエハＷとの間に存在している状態が確保される限りにおいて、たとえば、純水の供給を間欠的に行ってもよい。
【００９０】
さらにまた、上記各実施形態および参考例では、本発明をウエハＷを保持して搬送する副搬送ロボットＳＴＲ１，ＳＴＲ２，ＳＴＲ３，ＳＴＲ１０，ＳＴＲ２０，ＳＴＲ３０に適用する場合を例にとって説明しているが、本発明は、他のウエハＷを保持する他の装置に対しても広く適用することができる。たとえば、未処理のウエハＷまたは処理済のウエハＷを一時的に保持するためのウエハ載置台に本発明を適用することができる。
【００９１】
さらに、上記実施形態および参考例では、ウエハＷを処理する装置に本発明を適用する場合を例にとっているが、本発明は、たとえば液晶表示装置用ガラス基板を処理する装置やＰＤＰ用ガラス基板を処理する装置にも適用することができる。またさらに、上記実施形態では、ＣＭＰ処理後のウエハＷに洗浄処理を施す装置に本発明を適用する場合を例にとっているが、本発明は、広く、上記各種基板の処理装置全般に適用することができ、特に、各種基板の洗浄装置、現像装置、エッチング装置および剥膜装置等の処理液を用いる液処理装置全般に好適である。
【００９２】
その他、特許請求の範囲に記載された範囲で種々の設計変更を施すことが可能である。
【図面の簡単な説明】
【図１】本発明の第１実施形態であるウエハ処理装置の内部構成の一部を示す平面図である。
【図２】下アームおよび上アームが展開された状態の副搬送ロボットの上アーム付近の構成を示す平面図である。
【図３】図２のＩＩＩ−ＩＩＩ  断面図である。
【図４】両面洗浄ユニットの構成を拡大して示す平面図である。
【図５】両面洗浄ユニットの内部構成を示す側面図である。
【図６】上面処理ユニットの構成を拡大して示す平面図である。
【図７】上面処理ユニットの内部構成を示す側面図である。
【図８】参考例の構成を説明するための図であり、下アームおよび上アームが展開された状態の副搬送ロボットの上アーム付近の構成を示す平面図である。
【図９】図８のＩＸ−ＩＸ  断面図である。
【図１０】図８および図９の参考例における上アームの他の構成例を示す平面図である。
【図１１】図８および図９の参考例における上アームのさらに他の構成例を示す平面図である。
【図１２】他の参考例の構成を説明するための図であり、下アームおよび上アームが展開された状態の副搬送ロボットの上アーム付近の構成を示す平面図である。
【図１３】図１２のＸＩＩＩ−ＸＩＩＩ  断面図である。
【図１４】さらに他の参考例の構成を説明するための図であり、下アームおよび上アームが展開された状態の副搬送ロボットの上アーム付近の構成を示す平面図である。
【図１５】図１４のＸＶ−ＸＶ  断面図である。
【図１６】従来のウエハ処理装置の一部の構成を示す平面図である。
【図１７】従来のウエハ処理装置に備えられる搬送ロボットの一部の構成を示す断面図である。
【符号の説明】
１，２，３  駆動機構（移動手段）
１２，６０，７０，８０  上アーム（基板保持部材）
１２ｂ，６０ｂ，７０ｂ，８０ｂ  上面
２２，６３，６４  ガイド部材（ガイド手段）
３０  案内溝
３１，６１  純水吐出孔（液膜形成手段、吐出孔）
３２，６２  純水供給路（液膜形成手段、液体供給手段）
３３  純水供給孔（液膜形成手段、液体供給手段）
３４  純水供給パイプ（液膜形成手段、液体供給手段）
３６  純水供給弁（液膜形成手段、液体供給手段）
３７  水膜（液膜）
７１ａ，８２ａ  第１純水吐出孔（液膜形成手段、液体供給手段）
７１ｂ，８２ｂ  第２純水吐出孔（液膜形成手段、液体供給手段）
７１ｃ，８２ｃ  第３純水吐出孔（液膜形成手段、液体供給手段）
７２ａ，８３ａ  第１純水供給路（液膜形成手段、液体供給手段）
７２ｂ，８３ｂ  第２純水供給路（液膜形成手段、液体供給手段）
７２ｃ，８３ｃ  第３純水供給路（液膜形成手段、液体供給手段）
７５，７６  ガイドピン（ガイド手段）
８５ａ，８５ｂ，８５ｃ  段差部（ガイド手段）
９０，９１  貯留凹部（凹部）
ＤＢＣ  両面洗浄ユニット（薬液処理部、洗浄処理部）
ＴＢＣ  上面洗浄ユニット（薬液処理部、洗浄処理部）
Ｗ  ウエハ（基板）
θ  傾斜角
【図１】
0003582762.tif 000002
【図２】
0003582762.tif 000003
【図３】
0003582762.tif 000004
【図４】
0003582762.tif 000005
【図５】
0003582762.tif 000006
【図６】
0003582762.tif 000007
【図７】
0003582762.tif 000008
【図８】
0003582762.tif 000009
【図９】
0003582762.tif 000010
【図１０】
0003582762.tif 000011
【図１１】
0003582762.tif 000012
【図１２】
0003582762.tif 000013
【図１３】
0003582762.tif 000014
【図１４】
0003582762.tif 000015
【図１５】
0003582762.tif 000016
【図１６】
0003582762.tif 000017
【図１７】
0003582762.tif 000018